(57)【要約】ヘッド部２及びこれに続く首部３と、把持部４を備えた歯ブラシ１において、把持部４の首部３と反対側の先端には、同軸状に吸盤５が形成され、吸盤５は、その先端側がラッパ状に拡開され、弾性材部８と同一素材で形成されている。
2004089154.tif 000002
【特許請求の範囲】
【請求項１】
ヘッド部及びこれに続く首部と、把持部を備えた歯ブラシにおいて、前記把持部には吸盤が設けられていることを特徴とする歯ブラシ。
【請求項２】
前記吸盤は、前記首部と反対側の前記把持部の先端に同軸状に形成され、先端側がラッパ状に拡開されていることを特徴とする請求項１に記載の歯ブラシ。
【請求項３】
前記吸盤は、前記把持部に一体化されている弾性材部と同一素材で、該弾性材部と連続状に形成されていることを特徴とする請求項１または請求項２に記載の歯ブラシ。
【発明の詳細な説明】
【技術分野】  この発明は、歯ブラシに関するものである。
【背景技術】  従来、歯ブラシは、使用後に、洗面化粧台の収納棚内等の所定の位置に収納される。
歯ブラシを使用後に収納する際に、歯ブラシに付着している水が収納棚内に流れ落ちる等して、収納棚内等に水が溜まり、不衛生な環境となってしまうという問題点があった。
そこで、本発明の目的は、収納場所を選ばず、しかも水切りが良好なものとなる歯ブラシを提供することにある。
【発明の開示】
前記の目的を達成するために、本発明の請求項１は、ヘッド部及びこれに続く首部と、把持部を備えた歯ブラシにおいて、前記把持部には吸盤が設けられていることである。
本発明の請求項１によれば、吸盤を介して洗面化粧台や洗面器等の好みの場所に、歯ブラシを吸着保持させておくことができ、収納場所を選ばず、別途、歯ブラシ用の収納棚やコップ等を必要とせず、良好に歯ブラシを収納させておくことができ、しかもワンタッチで吸盤を押し付けることで、あらゆる場所に歯ブラシを保持させることができ、取り扱いが容易となる。
また、保持させた状態で良好に水切りを行うことができ、清潔に維持できるものとなる。
また、本発明の請求項２は、前記吸盤は、前記首部と反対側の前記把持部の先端に同軸状に形成され、先端側がラッパ状に拡開されていることである。
本発明の請求項２によれば、植毛のあるヘッド部とは反対側に吸盤が設けられており、ヘッド部に手を触れることなく、吸盤を良好に洗面化粧台等の部分に押し付けて吸着させ、良好に歯ブラシを保持させることができるものとなる。
また、本発明の請求項３は、前記吸盤は、前記把持部に一体化されている弾性材部と同一素材で、該弾性材部と連続状に形成されていることである。
本発明の請求項３によれば、硬質の把持部，首部，ヘッド部とは別の柔らかい素材で、弾性材部と連続して吸盤を形成させることができ、良好に把持部と吸盤が一体化され、しかも意匠性が高められるものとなる。
【図面の簡単な説明】  図１は、歯ブラシの側面構成図である。
図２は、歯ブラシの正面構成図である。
図３は、歯ブラシの背面構成図である。
図４は、歯ブラシを水平状態に吸盤を介し保持させた状態の斜視構成図である。
図５は、歯ブラシの変更例の側面構成図である。
図６は、歯ブラシの変更例の正面構成図である。
図７は、歯ブラシの変更例の背面構成図である。
【発明を実施するための最良の形態】  以下、本発明の実施例を図面に基づいて説明する。
図１は、歯ブラシの側面構成図であり、図２は、その正面図であり、図３は、背面図である。
図において、歯ブラシ１は、ヘッド部２の下部に、連続状に首部３が形成され、更にその下方に連続状に把持部４が形成され、把持部４の下端に吸盤部５が形成されたものとなっている。
僅かに前傾したヘッド部２には、植毛６が設けられており、首部３は、ヘッド部２の下端から徐々に前方側へ下傾した傾斜状に形成されて、この首部３の下端から、アール状に径を拡大させて、前記把持部４が形成されており、把持部４の下端部は徐々に径が縮小されて、吸盤部５に至っており、吸盤部５は把持部４の先端に同軸状に形成されて、先端側が拡開したラッパ状となっている。
この吸盤部５は、把持部４の裏面に貼着等して一体化されている弾性材部８と同一素材で、弾性材部８と連続して吸盤部５は一体形成されており、例えばゴム材等の柔らかい材料で形成されている。
なお、把持部４，首部３，ヘッド部２は硬質樹脂で形成されている。
なお、弾性材部８には、上下に間隔をおいて横方向に延びる４本の滑り止め突起８ａ，８ａ，８ａ，８ａが背側へ突出形成されている。
また、この弾性材部８と反対側の把持部４の表面側には、首部３に近い位置に、縦長の楕円形状の親指当接部７が形成されている。
この親指当接部７には、柔らかい複数のひだ片７ａ，７ａ，７ａを上下方向に間隔をおいて備えた部材が貼着されており、親指を前面側から当てることにより、それぞれのひだ片７ａ，７ａ，７ａが変形して、柔らかいタッチで親指当接部７に親指を当てることができるように構成されている。
なお、把持部４を握る場合には、親指を除く他の４本の指が、弾性材部８に当接し、滑り止め突起８ａ，８ａにより良好に滑り止めが成されるものである。
なお、この弾性部材８及び親指当接部７、及び吸盤部５は、弾性素材で形成されているため、把持部４，首部３，ヘッド部２とは異なる色にして、歯ブラシ１全体の意匠性を高めることができるものである。
本例の歯ブラシ１においては、把持部４の先端に吸盤部５が形成されているため、例えば図４に示すように、吸盤５を壁面等に押し当てて、歯ブラシ１を水平状態にして保持させておくことができるものとなる。
図４では、洗面化粧台１０の下部に洗面器１１が設けられ、洗面器１１の上面側には水栓１２が設けられており、洗面器１１から上方へ立ち上げて、洗面化粧台１０を構成するキャビネット板１３が立設されており、キャビネット板１３には、収納棚１４が取り付けられ、収納棚１４の前面には鏡１５が設けられている。
このような洗面化粧台１０の、例えば洗面器１１の上方のキャビネット板１３に、歯ブラシ１の吸盤部５を押し付けて、水平状に歯ブラシ１を保持させておくことができ、歯ブラシ１の植毛６を、洗面器１１の上方へ配置させて保持しておくことができるため、植毛６に付着した水滴等は良好に洗面器１１内に流下し、衛生的なものとなり、良好に歯ブラシ１の植毛６を乾燥させて、清潔に維持することができるものである。
なお、その他、歯ブラシ１は、鏡１５の前面に吸盤５を介して水平状に保持させておくこともでき、更には、吸盤５を洗面器１１の上面に吸着させて、洗面器１１の隅角部等に歯ブラシ１を立設状にして収納させておくこともでき、収納場所を選ばず、従来のように歯ブラシ用の収納棚やコップを別途必要とせず、洗面化粧台の周辺の好みの場所に吸盤５を吸着させて、良好に歯ブラシ１を収納させることができるものとなる。しかも、収納状態で良好に水切りできるために、清潔に維持できるものとなる。
なお、図５，図６，図７では、歯ブラシ１の変更例を示す。
本例では、親指当接部７に、全周にわたり雄ネジ状のひだ片７ｂ，７ｂ，７ｂを上下方向に設け、弾性材部８の裏側上端を親指当接部７に連続させ、弾性材部８には、把持部４の前側に配置される前側片８ｂを連続させたものである。
本例においても、把持部４の先端に吸盤部５が形成されているため、吸盤５を壁面等に押し当てて、歯ブラシ１を水平状態にして保持させておくことができるものとなる。
【図１】
2004089154.tif 000003
【図２】
2004089154.tif 000004
【図３】
2004089154.tif 000005
【図４】
2004089154.tif 000006
【図５】
2004089154.tif 000007
【図６】
2004089154.tif 000008
【図７】
2004089154.tif 000009
【手続補正書】
【提出日】平成18年2月16日(2006.2.16)
【手続補正１】
【補正対象書類名】特許請求の範囲
【補正対象項目名】全文
【補正方法】変更
【補正の内容】
【特許請求の範囲】
【請求項１】
ヘッド部及びこれに続く首部と、把持部を備え、前記把持部には吸盤部が設けられている歯ブラシにおいて、前記把持部の下端部は徐々に径が縮小されて前記吸盤部に至って、該吸盤部は前記把持部の先端に同軸状に形成され、先端側が拡開したラッパ状をなし、該吸盤部は、前記把持部に一体化されている弾性材部と同一素材で、該弾性材部と連続状に形成されていることを特徴とする歯ブラシ。
【請求項２】
前記把持部には、前記首部に近い位置に親指当接部が形成され、該親指当接部は前記弾性材部と同一素材で、該弾性材部と連続状に形成されていることを特徴とする請求項１に記載の歯ブラシ。
【請求項３】
前記弾性材部及び親指当接部、及び吸盤部は、弾性素材で形成され、前把持部，首部，ヘッド部とは異なる色にしてあることを特徴とする請求項１または請求項２に記載の歯ブラシ。
【手続補正２】
【補正対象書類名】明細書
【補正対象項目名】全文
【補正方法】変更
【補正の内容】
【書類名】      明細書
【発明の属する技術分野】
この発明は、歯ブラシに関するものである。
【従来の技術】
従来、歯ブラシは、使用後に、洗面化粧台の収納棚内等の所定の位置に収納される。
歯ブラシを使用後に収納する際に、歯ブラシに付着している水が収納棚内に流れ落ちる等して、収納棚内等に水が溜まり、不衛生な環境となってしまうという問題点があった。
そこで、本発明の目的は、収納場所を選ばず、しかも水切りが良好なものとなる歯ブラシを提供することにある。
【発明の開示】
前記の目的を達成するために、本発明の請求項１は、ヘッド部及びこれに続く首部と、把持部を備え、前記把持部には吸盤部が設けられている歯ブラシにおいて、前記把持部の下端部は徐々に径が縮小されて前記吸盤部に至って、該吸盤部は前記把持部の先端に同軸状に形成され、先端側が拡開したラッパ状をなし、該吸盤部は、前記把持部に一体化されている弾性材部と同一素材で、該弾性材部と連続状に形成されていることである。
本発明の請求項１によれば、吸盤部を介して洗面化粧台や洗面器等の好みの場所に、歯ブラシを吸着保持させておくことができ、収納場所を選ばず、別途、歯ブラシ用の収納棚やコップ等を必要とせず、良好に歯ブラシを収納させておくことができ、しかもワンタッチで吸盤部を押し付けることで、あらゆる場所に歯ブラシを保持させることができ、取り扱いが容易となる。
また、保持させた状態で良好に水切りを行うことができ、清潔に維持できるものとなる。
また、植毛のあるヘッド部とは反対側に吸盤部が設けられており、ヘッド部に手を触れることなく、吸盤部を良好に洗面化粧台等の部分に押し付けて吸着させ、良好に歯ブラシを保持させることができるものとなる。
また、硬質の把持部，首部，ヘッド部とは別の柔らかい素材で、弾性材部と連続して吸盤部を形成させることができ、良好に把持部と吸盤部が一体化され、しかも意匠性が高められるものとなる。
また、本発明の請求項２は、前記把持部には、前記首部に近い位置に親指当接部が形成され、該親指当接部は前記弾性材部と同一素材で、該弾性材部と連続状に形成されていることである。
本発明の請求項２によれば、把持部を握る場合には、親指を除く他の４本の指が、弾性材部に当接し、柔らかいタッチで親指当接部に親指を当てることができるものとなる。
また、本発明の請求項３は、前記弾性材部及び親指当接部、及び吸盤部は、弾性素材で形成され、前把持部，首部，ヘッド部とは異なる色にしてあることである。
本発明の請求項３によれば、歯ブラシ全体の意匠性を高めることができる。
【図面の簡単な説明】
図１は、歯ブラシの側面構成図である。
図２は、歯ブラシの正面構成図である。
図３は、歯ブラシの背面構成図である。
図４は、歯ブラシを水平状態に吸盤を介し保持させた状態の斜視構成図である。
図５は、歯ブラシの変更例の側面構成図である。
図６は、歯ブラシの変更例の正面構成図である。
図７は、歯ブラシの変更例の背面構成図である。
【発明の実施の形態】
以下、本発明の実施例を図面に基づいて説明する。
図１は、歯ブラシの側面構成図であり、図２は、その正面図であり、図３は、背面図である。
図において、歯ブラシ１は、ヘッド部２の下部に、連続状に首部３が形成され、更にその下方に連続状に把持部４が形成され、把持部４の下端に吸盤部５が形成されたものとなっている。
僅かに前傾したヘッド部２には、植毛６が設けられており、首部３は、ヘッド部２の下端から徐々に前方側へ下傾した傾斜状に形成されて、この首部３の下端から、アール状に径を拡大させて、前記把持部４が形成されており、把持部４の下端部は徐々に径が縮小されて、吸盤部５に至っており、吸盤部５は把持部４の先端に同軸状に形成されて、先端側が拡開したラッパ状となっている。
この吸盤部５は、把持部４の裏面に貼着等して一体化されている弾性材部８と同一素材で、弾性材部８と連続して吸盤部５は一体形成されており、例えばゴム材等の柔らかい材料で形成されている。
なお、把持部４，首部３，ヘッド部２は硬質樹脂で形成されている。
なお、弾性材部８には、上下に間隔をおいて横方向に延びる４本の滑り止め突起８ａ，８ａ，８ａ，８ａが背側へ突出形成されている。
また、この弾性材部８と反対側の把持部４の表面側には、首部３に近い位置に、縦長の楕円形状の親指当接部７が形成されている。
この親指当接部７には、柔らかい複数のひだ片７ａ，７ａ，７ａを上下方向に間隔をおいて備えた部材が貼着されており、親指を前面側から当てることにより、それぞれのひだ片７ａ，７ａ，７ａが変形して、柔らかいタッチで親指当接部７に親指を当てることができるように構成されている。
なお、把持部４を握る場合には、親指を除く他の４本の指が、弾性材部８に当接し、滑り止め突起８ａ，８ａにより良好に滑り止めが成されるものである。
なお、この弾性材部８及び親指当接部７、及び吸盤部５は、弾性素材で形成されているため、把持部４，首部３，ヘッド部２とは異なる色にして、歯ブラシ１全体の意匠性を高めることができるものである。
本例の歯ブラシ１においては、把持部４の先端に吸盤部５が形成されているため、例えば図４に示すように、吸盤５を壁面等に押し当てて、歯ブラシ１を水平状態にして保持させておくことができるものとなる。
図４では、洗面化粧台１０の下部に洗面器１１が設けられ、洗面器１１の上面側には水栓１２が設けられており、洗面器１１から上方へ立ち上げて、洗面化粧台１０を構成するキャビネット板１３が立設されており、キャビネット板１３には、収納棚１４が取り付けられ、収納棚１４の前面には鏡１５が設けられている。
このような洗面化粧台１０の、例えば洗面器１１の上方のキャビネット板１３に、歯ブラシ１の吸盤部５を押し付けて、水平状に歯ブラシ１を保持させておくことができ、歯ブラシ１の植毛６を、洗面器１１の上方へ配置させて保持しておくことができるため、植毛６に付着した水滴等は良好に洗面器１１内に流下し、衛生的なものとなり、良好に歯ブラシ１の植毛６を乾燥させて、清潔に維持することができるものである。
なお、その他、歯ブラシ１は、鏡１５の前面に吸盤５を介して水平状に保持させておくこともでき、更には、吸盤５を洗面器１１の上面に吸着させて、洗面器１１の隅角部等に歯ブラシ１を立設状にして収納させておくこともでき、収納場所を選ばず、従来のように歯ブラシ用の収納棚やコップを別途必要とせず、洗面化粧台の周辺の好みの場所に吸盤５を吸着させて、良好に歯ブラシ１を収納させることができるものとなる。しかも、収納状態で良好に水切りできるために、清潔に維持できるものとなる。
なお、図５，図６，図７では、歯ブラシ１の変更例を示す。
本例では、親指当接部７に、全周にわたり雄ネジ状のひだ片７ｂ，７ｂ，７ｂを上下方向に設け、弾性材部８の裏側上端を親指当接部７に連続させ、弾性材部８には、把持部４の前側に配置される前側片８ｂを連続させたものである。
本例においても、把持部４の先端に吸盤部５が形成されているため、吸盤５を壁面等に押し当てて、歯ブラシ１を水平状態にして保持させておくことができるものとなる。
【国際調査報告】
2004089154.tif 000010
2004089154.tif 000011